(57)【要約】【課題】装置の大型化やコストアップを招くことなく、像保持体の磨耗差を低減して寿命を向上させることのできる画像形成装置を提供する。【解決手段】相互に一列に配置される複数の感光体ドラム１５Ｙ〜１５Ｋと、各感光体ドラム１５Ｙ〜１５Ｋ毎に配設され、各像保持体表面を帯電させて静電潜像を形成する潜像形成手段（帯電器５０３Ｙ等）と、該各潜像形成手段によって形成された各静電潜像を可視剤によって可視像化する現像手段（現像器１７Ｙ等）と、感光体ドラム１５Ｙ〜１５Ｋ上に残留する可視剤を除去するクリーニング装置１８と、感光体ドラム１５Ｙ〜１５Ｋの少なくとも一つについて可視剤のかぶり量が他の像保持体に比して増加するように制御するかぶり量制御手段（制御部５００）とを備えるようにした。【選択図】図６
2008310144.tif 000002
【特許請求の範囲】
【請求項１】
相互に一列に配置される複数の像保持体と、
該各像保持体毎に配設され、各像保持体表面を帯電させて静電潜像を形成する潜像形成手段と、
前記各像保持体上に形成された前記静電潜像を可視剤によって可視像化する現像手段と、
前記像保持体上に残留する可視剤を除去するクリーニング手段と、
前記像保持体の少なくとも一つについて前記可視剤のかぶり量が他の像保持体に比して増加するように制御するかぶり量制御手段と、
を備えることを特徴とする画像形成装置。
【請求項２】
前記かぶり量制御手段は、前記静電潜像を形成する潜像形成手段における放電電流量を制御することを特徴とする請求項１に記載の画像形成装置。
【請求項３】
無端移動する中間転写体上に前記像保持体上に形成される前記可視剤による各可視像を各色ごとに順次一次転写する一次転写手段と、
前記中間転写体上に一次転写された可視像を転写材上に二次転写する二次転写手段と、
をさらに備えることを特徴とする請求項１または請求項２の何れかに記載の画像形成装置。
【請求項４】
前記潜像形成手段は、
前記像保持体上の帯電処理を行う接触帯電手段と、
該接触帯電手段にバイアスを印加する電源供給手段と、
前記接触帯電手段に印加されるバイアスとして所定の交流電界に所定の直流電界を重畳させる重畳手段と、
を備え、
前記かぶり量制御手段は、
前記所定の交流電界を形成するための交流電流値を変化させた場合に、前記像保持体の表面に設けられる感光体の帯電電位が飽和する交流電流値に対して予め定めた所定の比率を乗じた交流電流値で印加され、且つ、
前記一次転写の順位が最も上流の可視像に対応する静電潜像を形成する潜像形成手段において印加される前記交流電流値に乗じる比率が、他の潜像形成手段において印加される交流電流値に乗じる比率に比べて低くなるように制御する、
ことを特徴とする請求項１から請求項３の何れかに記載の画像形成装置。
【請求項５】
前記一次転写の順位が最も上流の可視像に対応する静電潜像を形成する潜像形成手段において印加される交流電流値に乗じる比率は、前記他の潜像形成手段において印加される交流電流値に乗じる比率より３〜６％低く設定されることを特徴とする請求項４に記載の画像形成装置。
【請求項６】
少なくとも、前記一次転写の順位が最も早い可視像に対応する前記像保持体について、該像保持体上の画像形成領域以外に前記クリーニング手段との摩擦低減用のトナーバンドを帯状に形成するトナーバンド形成手段が設けられることを特徴とする請求項３から請求項５の何れかに記載の画像形成装置。
【請求項７】
前記像保持体は、表面に印加された電荷を輸送する電荷輸送層の上に保護層を備え、
当該保護層は、少なくとも架橋樹脂で構成される層を有することを特徴とする請求項１から請求項６の何れかに記載の画像形成装置。
【発明の詳細な説明】
【技術分野】
【０００１】
本発明は、画像形成装置に関するものである。
【背景技術】
【０００２】
従来、電子写真方式を用いた画像形成装置では、所定の回転軸を中心に回転する像保持体の表面を帯電させて、帯電された像保持体表面に光ビームを照射することにより、この像保持体の表面に画像情報に応じた静電潜像を形成し、該静電潜像を可視剤としてのトナーによって現像することによって静電潜像に応じたトナー像を形成し、このトナー像を記録用紙や中間転写体等の被転写体に転写し、最終的にトナー像を記録用紙へ定着させる一連の画像形成プロセスによって、記録媒体へ画像を形成している。
【０００３】
また、カラー画像を高速かつ高画質に形成可能とした画像形成装置としては、イエロー色、マゼンタ色、シアン色、黒色等の各々色の異なるトナー像を形成する４つの画像形成ユニットを、互いに並列的に配置し、これらの各画像形成ユニットで順次形成されるイエロー色、マゼンタ色、シアン色、黒色等の各色のトナー像を、中間転写ベルト上に一旦多重に一次転写した後、この中間転写ベルトから転写用紙上に一括して二次転写し、転写用紙上にトナー像を定着することによって、フルカラーや白黒の画像を形成するように構成した所謂フルカラータンデム機が種々提案され製品化されている。
【０００４】
このフルカラータンデム機は、図８に示すように、イエロー色、マゼンタ色、シアン色、黒色の各々色の異なるトナー像を形成する４つの画像形成ユニット１００Ｙ、１００Ｍ、１００Ｃ、１００Ｋを備え、これらの画像形成ユニット１００Ｙ、１００Ｍ、１００Ｃ、１００Ｋは、水平方向に所定の間隔を隔てて、並列的に配置されている。
【０００５】
４つの画像形成ユニット１００Ｙ、１００Ｍ、１００Ｃ、１００Ｋは、形成するトナー像の色が異なるほかは、すべて同様に構成されており、感光体ドラム（像保持体）１０１の表面を接触型の帯電装置１０２によって一様に帯電した後、当該感光体ドラム１０１の表面に画像露光装置１０３によって画像露光を施して、各色の画像情報に応じた静電潜像を形成する。
【０００６】
感光体ドラム１０１の表面に形成された静電潜像は、対応する色の現像装置１０４により顕像化されてトナー像となり、当該トナー像は、一次転写用の帯電器１０５によって中間転写ベルト１０６上に順次多重に転写される。
【０００７】
なお、感光体ドラム１０１の表面に残留したトナーは、クリーニング装置（クリーニング手段）１０７によって除去され、次の画像形成工程に備える。
【０００８】
中間転写ベルト１０６は、４つの画像形成ユニット１００Ｙ、１００Ｍ、１００Ｃ、１００Ｋにわたってその下方に配設されているとともに、駆動ローラを含む複数本のローラ１０８〜１１２によって感光体ドラム１０１の回転速度と等しい速度で循環駆動されるようになっている。
【０００９】
中間転写ベルト１０６上に順次多重に転写されたイエロー色、マゼンタ色、シアン色、黒色の各色のトナー像は、当該中間転写ベルト１０６の下方に設けられた二次転写位置において、中間転写ベルト１０６の表面と接触する二次転写ロール１１３によって、所定のタイミングで給紙される転写用紙１１４上に一括して転写される。
【００１０】
その後、転写用紙１１４は、図示しない定着装置まで搬送され、当該定着装置によって熱及び圧力で定着処理を受け、装置の外部に排出され、フルカラーや白黒の画像が形成される。
【００１１】
ところで、このような画像形成装置において、被転写体へトナー像が転写された後の感光体ドラム（像保持体）の表面に、未転写のトナーなどが残留すると、画質劣化の要因となるため、これらの残留物を除去する必要がある。
【００１２】
このような残留物を除去する方式として、像保持体との摺接によって機械的に残留物を掻き取る方式、特に、板状のクリーニングブレードを像保持体の周面に対向配置させ、このクリーニングブレードの先端部を像保持体の表面に圧接させる方式が多く採用されている。
【００１３】
ここで、小粒径のトナー等がクリーニングブレードの先端部分に堆積して、回転する感光体ドラムとの摩擦でクリーニングブレードに溶融固着してしまうことがある。このようなブレードの先端と感光体ドラムとの間でクリーニングブレードにトナーが固着した状態で感光体ドラムを回転させると、感光体ドラムの外周面を摩耗させたり傷がついたりして劣化し、感光体ドラムの寿命を縮める虞がある。
【００１４】
感光体ドラムの寿命向上を図る技術としては、接触帯電器の印加バイアスの切り替えにより、感光体ドラムの磨耗レートを抑える等の技術が多く提案されている。
【００１５】
例えば、接触帯電器の印加バイアスの切り替えにより感光体ドラムの寿命延長を図る技術は、特開平８−１９０２２号公報、特開平８−１３７２０４号公報、特開２００１−１０９３３２号公報等に開示されている。
【００１６】
このような従来技術では、非画像部分や単色時に交流成分を印加しないようにしている。
【００１７】
また、特開平１０−１８６８０９号公報等に開示される技術では、交流重畳帯電用電源とＤＣ帯電用電源を手動で切り替えるようにしている。
【００１８】
上記従来技術は、接触帯電器の交流成分を重畳したときよりも、ＤＣ成分のみで帯電させたときの方が、感光体ドラムの磨耗レートが少ないことを利用したものである。
【００１９】
また、特開２００３−４３７７７号公報に開示される技術では、黒色に対応する画像形成ユニットの感光体のみ他の画像形成ユニットの感光体より表面電位を低電位に設定することで長寿命化を図っている。
【００２０】
しかしながら、上記従来技術は、いずれも単色時の磨耗レート問題に対処するものであり、タンデム方式の画像形成装置にそのまま適用することは困難である。
【００２１】
即ち、タンデム方式の画像形成装置では上述したように、感光体ドラム１０１の表面に形成された静電潜像は、対応する色の現像装置１０４により顕像化されてトナー像となり、トナー像は一次転写用の帯電器１０５によって中間転写ベルト１０６上に順次多重に転写される。
【００２２】
そして、上記の行程において、中間転写ベルトと感光体の間に放電が生じ、中間転写体上のトナーの電荷が中和もしくは逆極に帯電されトナーが逆転移する現象、いわゆるリトランスファーを生じる。
【００２３】
このようなリトランスファートナーは下流エンジン（転写順位が遅い方のエンジン）にいく程増加する。
【００２４】
即ち、一番上流（転写順位が一番早い側）の感光体ドラムは、下流（転写順位が遅い側）の感光体ドラムに比べブレードニップ上に突入するトナー量が少なくなってしまう。そのため、最上流に位置する感光体ドラムとクリーニングブレードの摩擦係数が高くなり、下流エンジンに比べ磨耗量が増加し、感光体ドラムの寿命が他のエンジンに比べ短くなってしまうという問題に対しては従来技術では対処することができないという問題があった。
【００２５】
さらに、感光体ドラムの寿命が各色のエンジン毎に異なると、交換のタイミングが変わってしまうのでメンテナンス回数が多くなり、運用コストが嵩むという課題も生じる。
【特許文献１】特開平８−１９０２２号公報
【特許文献２】特開平８−１３７２０４号公報
【特許文献３】特開平８−１９０２２号公報
【特許文献４】特開２００１−１０９３３２号公報
【特許文献５】特開平１０−１８６８０９号公報
【特許文献６】特開２００３−４３７７７号公報
【発明の開示】
【発明が解決しようとする課題】
【００２６】
本発明は、装置の大型化やコストアップを招くことなく、像保持体の磨耗差を低減して寿命を向上させることのできる画像形成装置を提供することを目的とする。
【課題を解決するための手段】
【００２７】
前記課題を解決するため、請求項１の発明に係る画像形成装置は、相互に一列に配置される複数の像保持体と、該各像保持体毎に配設され、各像保持体表面を帯電させて静電潜像を形成する潜像形成手段と、前記各像保持体上に形成された前記静電潜像を可視剤によって可視像化する現像手段と、前記像保持体上に残留する可視剤を除去するクリーニング手段と、前記像保持体の少なくとも一つについて前記可視剤のかぶり量が他の像保持体に比して増加するように制御するかぶり量制御手段とを備えることを特徴とする。
【００２８】
ここで、上記「かぶり」とは、電子写真等において、現像操作によって本来白抜けとなるべき非画像部にトナーが付着して濃度が高くなる現象をいう。また、その濃度増加分を「かぶり濃度」あるいは「かぶり量」という。
【００２９】
請求項２の発明に係る画像形成装置は、前記かぶり量制御手段は、前記静電潜像を形成する潜像形成手段における放電電流量を制御することを特徴とする。
【００３０】
請求項３の発明に係る画像形成装置は、無端移動する中間転写体上に前記像保持体上に形成される前記可視剤による各可視像を各色ごとに順次一次転写する一次転写手段と、前記中間転写体上に一次転写された可視像を転写材上に二次転写する二次転写手段と、をさらに備えることを特徴とする。
【００３１】
請求項４の発明に係る画像形成装置は、前記潜像形成手段は、前記像保持体上の帯電処理を行う接触帯電手段と、該接触帯電手段にバイアスを印加する電源供給手段と、前記接触帯電手段に印加されるバイアスとして所定の交流電界に所定の直流電界を重畳させる重畳手段とを備え、前記かぶり量制御手段は、前記所定の交流電界を形成するための交流電流値を変化させた場合に、前記像保持体の表面に設けられる感光体の帯電電位が飽和する交流電流値に対して予め定めた所定の比率を乗じた交流電流値で印加され、且つ、前記一次転写の順位が最も上流の可視像に対応する静電潜像を形成する潜像形成手段において印加される前記交流電流値に乗じる比率が、他の潜像形成手段において印加される交流電流値に乗じる比率に比べて低くなるように制御することを特徴とする。
【００３２】
請求項５の発明に係る画像形成装置は、前記一次転写の順位が最も上流の可視像に対応する静電潜像を形成する潜像形成手段において印加される交流電流値に乗じる比率は、前記他の潜像形成手段において印加される交流電流値に乗じる比率より３〜６％低く設定されることを特徴とする請求項４に記載の画像形成装置。
【００３３】
請求項６の発明に係る画像形成装置は、少なくとも、前記一次転写の順位が最も早い可視像に対応する前記像保持体について、該像保持体上の画像形成領域以外に前記クリーニング手段との摩擦低減用のトナーバンドを帯状に形成するトナーバンド形成手段が設けられることを特徴とする。
【００３４】
請求項７の発明に係る画像形成装置は、前記像保持体は、表面に印加された電荷を輸送する電荷輸送層の上に保護層を備え、当該保護層は、少なくとも架橋樹脂で構成される層を有することを特徴とする。
【発明の効果】
【００３５】
本発明によれば以下の効果を奏することができる。
【００３６】
すなわち、請求項１に記載の発明によれば、本構成を有していない場合に比較して、可視剤のかぶり量を増やすことにより、かぶり可視剤がリトランスファートナーと同様に像保持体とクリーニング手段との摩擦を低減させる働きをし、その摩擦係数の低減により磨耗レートを低減させて像保持体の寿命を向上させることができるという優れた効果がある。しかも、部品点数を増加させることがないので装置の大型化やコストアップを招くことなく効果を得ることができる。
【００３７】
なお、ここにいう「かぶり」とは、電子写真等において現像操作によって本来白抜けとなるべき非画像部にトナー（可視剤）が付着して濃度が高くなる現象をいう。
【００３８】
請求項２に記載の発明によれば、本構成を有していない場合に比較して、潜像形成手段における放電電流量を制御しているので、装置の大型化やコストアップを招くことなく像保持体の磨耗差を低減して寿命を向上させることができる。
【００３９】
請求項３に記載の発明によれば、本構成を有していない場合に比較して、装置の大型化やコストアップを招くことなく像保持体の磨耗差を低減して寿命を向上させることができる。
【００４０】
請求項４に記載の発明によれば、本構成を有していない場合に比較して、潜像形成手段において印加される交流電流値に乗じる第１の比率が、他の潜像形成手段において印加される交流電流値に乗じる第２の比率に比べて低くなるように制御しているので、効果的に可視剤のかぶり量を制御することができ、像保持体の磨耗差を低減して寿命を向上させることができる。
【００４１】
即ち、例えば帯電ローラへ直流電圧に交流電圧を重畳したバイアス電圧を印加する帯電方式では、交流電圧は一般的に一定の電圧（定電圧）または電流（定電流）、直流電圧は一定の電圧（定電圧）を印加するように制御されている。ここで、均一な帯電を得るために交流電流量（交流電圧）はできるだけ多くすることが望まれるので、交流電流量を低下させていくと、やがて極所的な帯電不良を生じ、黒点、白点やかぶりといった異常画像を生じることが知られているが、本発明では逆に交流電流量を下げることでかぶりトナーを増やすことにより、クリーニング手段との摩擦を低減させて像保持体の磨耗を抑制し、また、交流電流量を低減させることにより像保持体の感光体に対する放電によるダメージを低減することができる。
【００４２】
請求項５に記載の発明によれば、本構成を有していない場合に比較して、一次転写の順位が最も上流の可視像に対応する静電潜像を形成する潜像形成手段において印加される交流電流値に乗じる比率は、他の潜像形成手段において印加される交流電流値に乗じる比率より３〜６％低く設定されているので、より効果的に可視剤のかぶり量を制御することができ、像保持体の磨耗差を低減して寿命を向上させることができる。
【００４３】
請求項６に記載の発明によれば、本構成を有していない場合に比較して、トナーバンド形成手段が設けられているので、像保持体の磨耗差をより低減して寿命を向上させることができる。
【００４４】
請求項７に記載の発明によれば、本構成を有していない場合に比較して、像保持体の保護層は少なくとも架橋樹脂で構成される層を有しているので、像保持体の磨耗差をより低減して寿命を向上させることができる。
【発明を実施するための最良の形態】
【００４５】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００４６】
図１は本発明の実施の形態に係るタンデム型のデジタルカラー複写機の概略構成を示す側面図、図２は本実施の形態に係るタンデム型のデジタルカラー複写機の一部の画像形成ユニットを示す側面図、図３は本実施の形態に係るタンデム型のデジタルカラー複写機の機能構成を示すブロック図、図４は本実施の形態に係るタンデム型のデジタルカラー複写機の電源部を示す回路図、図５は帯電電位の飽和状態を示すグラフ、図６はトナー色と補正値の関係を示す表、図７は感光体ドラムの摩耗レートとトナー回収量の関係を示すグラフである。
【００４７】
図１には、本発明の実施の形態に係る画像形成装置としてのタンデム型のデジタルカラー複写機Ｍ１の概略構成を示している。
【００４８】
なお、本発明は、タンデム型のデジタルカラープリンタ等にも適用できる。
【００４９】
タンデム型のデジタルカラー複写機Ｍ１は、本体１の上部に、原稿２を一枚ずつ分離した状態で自動的に搬送する自動原稿搬送装置（ＡＤＦ）３と、自動原稿搬送装置３によって搬送される原稿２の画像を読み取る原稿読取装置４が配設されている。
【００５０】
この原稿読取装置４は、プラテンガラス５上に載置された原稿２を光源６によって照明し、原稿２からの反射光像を、フルレートミラー７及びハーフレートミラー８、９及び結像レンズ１０からなる縮小光学系を介してＣＣＤ等からなる画像読取素子１１上に走査露光して、この画像読取素子１１によって原稿２の色材反射光像を所定のドット密度（例えば、１６ドット／ｍｍ）で読み取るようになっている。
【００５１】
原稿読取装置４によって読み取られた原稿２の色材反射光像は、例えば、赤（Ｒ）、緑（Ｇ）、青（Ｂ）（各８ｂｉｔ）の３色の原稿反射率データとして画像処理装置１２に送られ、この画像処理装置１２では、原稿２の反射率データに対して、シェーデイング補正、位置ズレ補正、明度／色空間変換、ガンマ補正、枠消し、色／移動編集等の所定の画像処理が施される。また、画像処理装置１２は、パーソナルコンピュータ等から送られてくる画像データに対しても、所定の画像処理を行なうようになっている。
【００５２】
そして、上記のように画像処理装置１２で所定の画像処理が施された画像データは、同じく画像処理装置１２によって、イエロー（Ｙ）、マゼンタ（Ｍ）、シアン（Ｃ）、黒（Ｋ）（各８ビット）の４色の原稿再現色材階調データに変換され、次に述べるように、イエロー（Ｙ）、マゼンタ（Ｍ）、シアン（Ｃ）、黒（Ｋ）の各色の画像形成ユニット１３Ｙ、１３Ｍ、１３Ｃ、１３Ｋの画像露光装置１４に送られ、画像露光装置１４では、所定の色の原稿再現色材階調データに応じてレーザ光ＬＢによる画像露光が行われる。
【００５３】
ところで、本実施の形態に係るタンデム型のデジタルカラー複写機Ｍ１では、各々色の異なるトナー像を形成する複数の画像形成ユニット１３Ｙ〜１３Ｋを並列的に配置するとともに、各画像形成ユニット１３Ｙ〜１３Ｋの上部にわたって、当該複数の画像形成ユニット１３Ｙ〜１３Ｋで形成された各色のトナー像が転写される中間転写ベルト２５を配置し、さらに画像形成ユニット１３Ｙ〜１３Ｋの下方に、各画像形成ユニット１３Ｙ〜１３Ｋの像保持体（感光ドラム）１５Ｙ〜１５Ｋに画像の書き込みを行なう画像書込手段３０１を配置するように構成されている。
【００５４】
また、本実施の形態では、中間転写ベルト２５からトナー像が転写される転写媒体を、鉛直方向の下方から上方に向けて搬送し、中間転写ベルト２５から転写媒体上にトナー像を転写する二次転写手段３０２を、中間転写ベルト２５の側方（図１上は左側方）に設けるように構成されている。
【００５５】
さらに、本実施の形態では、複数の画像形成ユニット１３Ｙ〜１３Ｋのうち、中間転写ベルト２５の移動方向の最下流側（一次転写の順位が遅い側）に、黒色のトナー像を形成する画像形成ユニットＵ４を配置するように構成されている。
【００５６】
即ち、タンデム型のデジタルカラー複写機Ｍ１の本体１の内部には、図１および図２に示すように、イエロー（Ｙ）、マゼンタ（Ｍ）、シアン（Ｃ）、黒（Ｋ）の４つの画像形成ユニット１３Ｙ、１３Ｍ、１３Ｃ、１３Ｋが、水平方向に一定の間隔をおいて並列的に配置されている（なお、図２では、画像形成ユニット１３Ｙと１３Ｍのみを示している）。
【００５７】
これらの４つの画像形成ユニット１３Ｙ、１３Ｍ、１３Ｃ、１３Ｋは、すべて同様に構成されており、大別して、所定の速度（例えば、１６５ｍｍ／ｓｅｃ）で回転駆動される像保持体としての感光体ドラム１５（１５Ｙ〜１５Ｋ）と、この感光体ドラム１５の表面を一様に帯電する帯電用の帯電ロール１６と、さらに、帯電ロール１６の感光体ドラム１５と反対側の上方部には、帯電ロール１６の表面に接触するクリーナー部材としてのクリーニングロール５０が設けられている（図２参照）。
【００５８】
ここで、感光体ドラム１５について詳細に説明する。
【００５９】
本発明に係る画像形成装置の像保持体に相当する感光体ドラム１５としては、有機感光体や、アモルファスシリコン感光体やセレン系感光体などの無機系の感光体など公知の感光体を用いることができるが、コスト、製造性および廃棄性等の点で優れた利点を有する有機感光体が好適に用いられる。
【００６０】
有機感光体としては、導電性基体上に少なくとも感光層が設けられた構成を有するものであれば特に限定されないが、本発明においては、導電性基体上に、電荷発生層と電荷輸送層とこの順に積層した機能分離型の感光層を有する有機感光体であることがクリーニング性の効果の発現に好適である。また、感光層の表面には必要に応じて表面保護層を設けたり、感光層と導電性基体や、感光層と表面保護層との間に必要に応じて中間層を設けることもできる。
【００６１】
なお、上記電荷輸送層上に設けた表面保護層には、耐摩耗性の観点から、架橋構造を有する樹脂が含まれていることが好ましい。
【００６２】
感光体ドラム１５の表面にフッ素系樹脂粒子を含む電荷輸送層を設けた場合に、クリーニング部材と感光体ドラム１５の表面との摩擦力を低減することによって感光体ドラム１５の表面の傷や磨耗、クリーニングロール５０の摩滅等を抑制し、感光体ドラム１５の長寿命化がより図れると共に、長期使用での感光体ドラム１５と後述するクリーニング装置１８のクリーニングブレード４２との空隙を抑制可能となり、よりクリーニング性能の長寿命化を得ることが可能となる。
【００６３】
フッ素系樹脂粒子が電荷輸送層中に添加される場合の含有量は、電荷輸送層を構成する材料全量に対し、０．１〜４０重量％が好ましく、１〜３０重量％がより好ましく、特には３〜１０重量％が好ましい。含有量が０．１重量％未満ではフッ素系樹脂粒子の分散による摩擦低減効果が、感光体ドラム１５の帯電器が接触型帯電器である場合には不充分となる場合がある。一方、４０重量％を越えると電荷輸送層の光透過性及び電荷輸送性が顕著に低下し、かつ、繰返し使用による残留電位の上昇が生じる場合がある。
【００６４】
なお、本発明で用いることができるフッ素系樹脂粒子としては、４フッ化エチレン樹脂、３フッ化塩化エチレン樹脂、６フッ化プロピレン樹脂、フッ化ビニル樹脂、フッ化ビニリデン樹脂、２フッ化２塩化エチレン樹脂およびそれらの共重合体の中から１種あるいは２種以上を適宜選択するのが望ましいが、特に、４フッ化エチレン樹脂、フッ化ビニリデン樹脂が好ましい。
【００６５】
また、フッ素系樹脂粒子の一次平均粒径は０．０５〜１μｍが好ましく、０．１〜０．５μｍがより好ましい。一次平均粒径が０．０５μｍを下回ると分散時の凝集が進みやすくなる場合があり、１μｍを上回ると画質欠陥が発生しやすくなる場合がある。
【００６６】
感光体ドラム１５の表面に架橋構造を有する樹脂を含む表面保護層を設ける場合は、架橋構造を有する樹脂としては、架橋構造を有するフェノール系樹脂、ウレタン系樹脂、シロキサン系樹脂、エポキシ樹脂、メラミン樹脂、及び硬化性アクリル樹脂等が挙げられる。これらの中でも、特にフェノール樹脂からなるものが好ましい。これらの架橋構造を有する樹脂は優れた耐磨耗性を有しているため、長期に渡って使用しても、感光体ドラム１５の表面の磨耗や傷の発生を抑制することができる。
【００６７】
さらに、電気特性や画質維持性などの観点からは、架橋構造を有する樹脂は、電荷輸送性を有している（電荷輸送能を有する構造単位を含む）ことが好ましい。この場合に、感光体ドラム１５が、基体上に電荷発生層と電荷輸送層とがこの順に積層され、さらに電荷輸送層の表面に架橋構造を有する樹脂を含む層が形成されたような層構成であれば、感光体ドラム１５の表面を構成する架橋構造を有する樹脂を含む層が、電荷輸送層の一部として機能することもできる。
【００６８】
このような電荷輸送能を有する構造単位を含み、且つ、架橋構造を有する樹脂としてはシロキサン系樹脂が特に好ましく、その構造は特に限定されないが、例えば、無機ガラス質ネットワークサブグループ、可とう性有機サブユニット、電荷輸送性サブユニットを有するものが好ましく、特に下記一般式（１）で示されるものが好ましく利用できる。
【００６９】
一般式（１）    Ｇ−Ｄ−Ｆ
【００７０】
但し、一般式（１）中、Ｇは無機ガラス質ネットワークサブグループ、Ｄは可とう性有機サブユニット、Ｆは電荷輸送性サブユニットを表す。
【００７１】
電荷輸送性サブユニットとしては、例えば、トリアリールアミン系化合物、ベンジジン系化合物、アリールアルカン系化合物、アリール置換エチレン系化合物、スチルベン系化合物、アントラセン系化合物、ヒドラゾン系化合物、キノン系化合物、フルオレノン系化合物、キサントン系化合物、ベンゾフェノン系化合物、シアノビニル系化合物、エチレン系化合物などが挙げられ、これらの中でも、本発明の電子写真感光体の電荷輸送層との組み合わせからトリアリールアミン系化合物が好ましい。
【００７２】
無機ガラス質ネットワークサブグループは、例えば反応性を有するＳｉ基を有する構造が挙げられる。これが互いに架橋反応を起こし、３次元的なＳｉ−Ｏ−Ｓｉ結合を形成する。
【００７３】
可とう性有機サブユニットは、硬いが脆い無機ガラス質ネットワークに適度な可とう性を付与するものであり、具体例を挙げると、アルキレン直鎖や不飽和炭化水素基などが挙げられる。
【００７４】
図２に示すように、帯電ロール１６は、導電性のシャフト１６Ａの周囲に帯電層１６Ｂが形成されたものであり、シャフト１６Ａが回転可能に支持されている。クリーニングロール５０は、シャフト５０Ａの周囲にスポンジ層（図には現れない）が形成されたものであり、シャフト５０Ａが回転可能に支持されている。
【００７５】
クリーニングロール５０はシャフト５０Ａの両端部に配置された図示しないスプリングによって帯電ロール１６に所定の圧力で押圧され、スポンジ層が帯電ロール１６の周面に沿って弾性変形してニップ部を形成している。
【００７６】
感光体ドラム１５の支軸には図示しないモータが連結されており、感光体ドラム１５が反時計回りに回転駆動される。また、感光体ドラム１５の回転に従動して帯電ロール１６が時計回りに回転する。また、帯電ロール１６の回転に従動してクリーニングロール５０が反時計回りに回転する。なお、帯電ロール１６またはクリーニングロール５０は、モータを連結して独自に回転駆動するように構成してもよい。
【００７７】
クリーニングロール５０が従動回転することにより、帯電ロール１６の表面のトナーや外添剤などの異物がクリーニングされる。
【００７８】
なお、クリーニングロール５０のスポンジ層は、多孔質の３次元構造を有する発泡体からなり、内部や表面に空洞や凹凸部（以下、セルという。）が存在し、弾性を有している。このクリーニングロール５０は、ポリウレタン、ポリエチレン、ポリアミド、オレフィン、メラミン又はポリプロピレン、ＮＢＲ、ＥＰＤＭ、天然ゴム及びスチレンブタジエンゴム、クロロプレン、シリコーン、ニトリル、等の発泡性の樹脂又はゴムを材質としたものより選択される。これにより、多数のセルを有するクリーニングロール５０を安価に製造できる。クリーニングロール５０は、帯電ロール１６との従動摺擦により外添剤などの異物を効率的にクリーニングすると同時に、帯電ロール１６の表面にクリーニングロール５０の擦れによるキズをつけないために、また、長期にわたり千切れや破損が生じないようにするために、引き裂き、引っ張り強さなどに強いポリウレタンが特に好ましく用いられる。
【００７９】
ポリウレタンとして特に限定するものではなく、ポリエステルポリオール、ポリエーテルポリエステルやアクリルポリールなどのポリオールと、２，４−トリレンジイソシアネート、２，６−トリレンジイソシアネートや４，４−ジフェニルメタンジイソシアネート、トリジンジイソシアネート、１，６−ヘキサメチレンジイソシアネートなどのイソシアネートの反応を伴っていれば良く、１，４−ブタンジオール、トリメチロールプロパンなど鎖延長剤が混合されていることが好ましい。また、水やアゾジカルボンアミド、アゾビスイソブチロニトリルのようなアゾ化合物などの発泡剤を用いて発泡させるのが一般的である。さらに必要に応じて発泡助剤、整泡剤、触媒などの助剤を加えればよい。
【００８０】
次に、帯電ロール１６の詳細について説明する。
【００８１】
この帯電ロール１６は、導電性の金属製のシャフト１６Ａの周面上に、帯電層１６Ｂとして半導電性弾性層、表面層が順次形成されたものである。半導電性弾性層の抵抗値の常用対数値は４〜７ｌｏｇΩ程度であり、最表面層は帯電ロール全体の抵抗値の常用対数値が６．５〜８．５ｌｏｇΩ程度になるように設定されている。本実施形態では、帯電ロール１６の表面層の膜厚は１μｍ〜２０μｍである。
【００８２】
感光体ドラム１５の表面に所定の色に対応した画像を露光して静電潜像を形成する画像露光手段としての画像露光装置１４と、感光体ドラム１５上に形成された静電潜像を所定の色のトナーで現像する現像器１７と、感光体ドラム１５の表面を清掃するクリーニング装置１８とから構成されている。これらの感光体ドラム１５と周辺に配置される画像形成部材は、一体的にユニット化されており、複写機本体１から個別に交換可能に構成されている。
【００８３】
画像露光装置１４は、４つの画像形成ユニット１３Ｙ、１３Ｍ、１３Ｃ、１３Ｋに共通に構成されており、図示しない４つの半導体レーザを各色の原稿再現色材階調データに応じて変調して、これらの半導体レーザからレーザ光ＬＢ−Ｙ、ＬＢ−Ｍ、ＬＢ−Ｃ、ＬＢ−Ｋ（図２では、ＬＢ−Ｙ、ＬＢ−Ｍのみを示す）を階調データに応じて出射するように構成されている。なお、上記画像露光装置１４は、複数の画像形成ユニット毎に個別に構成しても勿論よい。
【００８４】
半導体レーザ装置から出射されたレーザ光ＬＢ−Ｙ、ＬＢ−Ｍ、ＬＢ−Ｃ、ＬＢ−Ｋは、図示しないｆ−θレンズを介してポリゴンミラーに照射され、このポリゴンミラー（図示せず）によって偏向走査される。このポリゴンミラーによって偏向走査されたレーザ光ＬＢ−Ｙ、ＬＢ−Ｍ、ＬＢ−Ｃ、ＬＢ−Ｋは、図示しない結像レンズ及び複数枚のミラーを介して、感光体ドラム１５上の露光ポイントに、斜め下方から走査露光される。
【００８５】
画像露光装置１４は、図１に示すように、下方から感光体ドラム１５上に画像を走査露光するものであるため、この画像露光装置１４には、上方に位置する４つの画像形成ユニット１３Ｙ、１３Ｍ、１３Ｃ、１３Ｋの現像器１７などからトナー等が落下して、汚損される虞れを有している。そのため、画像露光装置１４は、図２に示すように、その周囲が直方体状のフレーム２０によって密閉されているとともに、当該フレーム２０の上部には、４本のレーザ光ＬＢ−Ｙ、ＬＢ−Ｍ、ＬＢ−Ｃ、ＬＢ−Ｋを、各画像形成ユニット１３Ｙ、１３Ｍ、１３Ｃ、１３Ｋの感光体ドラム１５上に露光するため、シールド部材としての透明なガラス製のウインドウ２１Ｙ、２１Ｍ、２１Ｃ、２１Ｋ（なお、図２では２１Ｙ，２１Ｍのみが示される）が設けられている。
【００８６】
画像処理装置１２からは、イエロー（Ｙ）、マゼンタ（Ｍ）、シアン（Ｃ）、黒（Ｋ）の各色の画像形成ユニット１３Ｙ、１３Ｍ、１３Ｃ、１３Ｋに共通して設けられた画像露光装置１４に、各色の画像データが順次出力され、この画像露光装置１４から画像データに応じて出射されたレーザ光ＬＢ−Ｙ、ＬＢ−Ｍ、ＬＢ−Ｃ、ＬＢ−Ｋは、対応する感光体ドラム１５の表面に走査露光され、静電潜像が形成される。
【００８７】
感光体ドラム１５上に形成された静電潜像は、現像器１７Ｙ、１７Ｍ、１７Ｃ、１７Ｋ（図２は１７Ｙ，１７Ｍのみが示される）によって、それぞれイエロー（Ｙ）、マゼンタ（Ｍ）、シアン（Ｃ）、黒（Ｋ）の各色のトナー像として現像される。
【００８８】
各画像形成ユニット１３Ｙ、１３Ｍ、１３Ｃ、１３Ｋの感光体ドラム１５上に、順次形成されたイエロー（Ｙ）、マゼンタ（Ｍ）、シアン（Ｃ）、黒（Ｋ）の各色のトナー像は、各画像形成ユニット１３Ｙ、１３Ｍ、１３Ｃ、１３Ｋの上方にわたって配置された転写ユニットの中間転写ベルト２５上に、４つの一次転写ロール２６Ｙ、２６Ｍ、２６Ｃ、２６Ｋ（図２では２６Ｙ，２６Ｍのみが示される）によって多重に転写される。これらの一次転写ロール２６Ｙ、２６Ｍ、２６Ｃ、２６Ｋは、各画像形成ユニット１３Ｙ、１３Ｍ、１３Ｃ、１３Ｋの感光体ドラム１５に対応した中間転写ベルト２５の裏面側に配設されている。この実施の形態では、所望の体積抵抗値に調整されたロールが使用されている。
【００８９】
そして、一次転写ロール２６Ｙ、２６Ｍ、２６Ｃ、２６Ｋには、転写バイアス電源（図示しない）が接続されており、所定のトナー極性とは逆極性（本実施の形態では正極性）の転写バイアスが所定のタイミングで印加されるようになっている。
【００９０】
また、中間転写ベルト２５は、図示しないドライブロールと、テンションロールと、バックアップロールとの間に一定のテンションで掛け回されており、図示しない定速性に優れた専用の駆動モータによって回転駆動されるドライブロールにより、所定の速度で循環駆動されるようになっている。中間転写ベルト２５は、例えば、チャージアップを起こさないベルト素材（ゴムまたは樹脂）にて抵抗調整されたものが使用されている。
【００９１】
図２は本実施の形態に係るタンデム型のデジタルカラー複写機Ｍ１の一部の画像形成ユニットを示すものである。
【００９２】
イエロー色、マゼンタ色、シアン色及び黒色の４つの画像形成ユニット１３Ｙ、１３Ｍ、１３Ｃ、１３Ｋ（図２では１３Ｙ，１３Ｍのみを示す）は、すべてが同様に構成れており、これらの４つの画像形成ユニット１３Ｙ、１３Ｍ、１３Ｃ、１３Ｋでは、上述したように、それぞれイエロー色、マゼンタ色、シアン色及び黒色のトナー像が所定のタイミングで順次形成されるように構成されている。
【００９３】
各色の画像形成ユニット１３Ｙ、１３Ｍ，１３Ｃ、１３Ｋは、上述したように、感光体ドラム１５を備えており、これらの感光体ドラム１５の表面は、帯電用の帯電ロール１６によって一様に帯電される。その後、上記感光体ドラム１５の表面は、画像露光装置１４から画像データに応じて出射される画像形成用のレーザ光ＬＢが走査露光されて、各色に対応した静電潜像が形成される。
【００９４】
感光体ドラム１５上に走査露光されるレーザ光ＬＢは、感光体ドラム１５の直下よりやや右側寄りの斜め下方から露光されるように設定されている。感光体ドラム１５上に形成された静電潜像は、各画像形成ユニット１３Ｙ、１３Ｍ、１３Ｃ、１３Ｋの現像器１７の現像ロール１７ａによってそれぞれイエロー色、マゼンタ色、シアン色、黒色の各色のトナーにより現像されて可視トナー像となり、これらの可視トナー像は、一次転写ロール２６の帯電によって中間転写ベルト２５上に順次多重に転写される。
【００９５】
なお、トナー像の転写工程が終了した後の感光体ドラム１５の表面は、クリーニング装置（クリーニング手段）１８によって残留トナー等が除去されて、次の画像形成プロセスに備える。
【００９６】
クリーニング装置１８は、クリーニングブレード４２を備えており、このクリーニングブレード４２によって、感光体ドラム１５上の残留トナー等を除去するようになっている。また、このクリーニングブレード４２としては板金にゴムを貼り付けたものでもよいが、板金にＳＵＳ板とゴムを貼り付けた構成であれば、長期に使用してもへたらず、クリーニング機能を発揮することができる。
【００９７】
本実施の形態では、図４に示すように、イエロー色の現像器１７Ｙと、マゼンタ色の現像器１７Ｙに、バイアス印加用のコンデンサＣ１、Ｃ２を介して、同一の高圧電源としての高圧ユニット６１によって、交流（ＡＣ）の現像バイアス電圧（所定のＰ−Ｐ電圧及び周波数）を印加するとともに、黒色用の現像器１７Ｋと当該黒色用の現像器１７Ｋに隣接して配置されるシアン用の現像器１７Ｃに、バイアス印加用のコンデンサＣ３、Ｃ４を介して、同一の高圧電源としての高圧ユニット６２によって交流（ＡＣ）の現像バイアス電圧（所定のＰ−Ｐ電圧及び周波数）を印加するように構成されている。
【００９８】
また、上記イエロー色、マゼンタ色、シアン色、黒色の各現像器１７Ｙ、１７Ｍ、１７Ｃ、１７Ｋには、それぞれ異なる高圧電源としての高圧ユニット６３Ｙ、６３Ｍ、６３Ｃ、６３Ｋによって、直流（ＤＣ）の現像バイアス電圧を印加するように構成されている。
【００９９】
また、イエロー（Ｙ）、マゼンタ（Ｍ）、シアン（Ｃ）、黒（Ｋ）の各色の画像形成ユニット１３Ｙ、１３Ｍ、１３Ｃ、１３Ｋの帯電ロール１６Ｙ、１６Ｍ、１６Ｃ、１６Ｋには、それぞれ異なる高圧電源としての高圧ユニットによって、帯電バイアス電圧が個別に印加されるようになっている。
【０１００】
さらに、イエロー色の現像装置とマゼンタ色の現像装置に、現像バイアス電圧を印加する高圧ユニット及び黒色用の現像装置とシアン用の現像装置に現像バイアス電圧を印加する高圧ユニット、並びにイエロー（Ｙ）、マゼンタ（Ｍ）、シアン（Ｃ）、黒（Ｋ）の各帯電ロール１６に帯電バイアス電圧を印加する高圧ユニットは、図示しない制御回路によって、印加電圧及び電圧のタイミングが制御されるようになっている。
【０１０１】
ところで、上述のように構成したタンデム型のデジタルカラー複写機Ｍ１では各画像形成ユニット１３Ｙ、１３Ｍ、１３Ｃ、１３Ｋの現像器１７の現像ロール１７ａによってそれぞれイエロー色、マゼンタ色、シアン色、黒色の各色のトナーにより現像されて可視トナー像となり、これらの可視トナー像は、一次転写ロール２６の帯電によって中間転写ベルト２５上に順次多重に転写される。この行程において、中間転写ベルト２５と感光体ドラム１５との間に放電が生じ、中間転写体２５上のトナーの電荷が中和、もしくは逆極に帯電されトナーが逆転移する現象、いわゆるリトランスファーを生じる。このリトランスファートナーは下流エンジン（転写の順位が遅い側）にいく程増加することが分かっている。
【０１０２】
また、上述のように構成したタンデム型のデジタルカラー複写機Ｍ１では、各帯電ロール１６にバイアスを印加する際には、帯電ロール１６と、これに対応する感光体ドラム１５Ｙ，１５Ｍ，１５Ｃ，１５Ｋとの間で放電が生じ、この放電により、感光体ドラム１５Ｙ，１５Ｍ，１５Ｃ，１５Ｋが所定の電位に帯電される。このバイアスを印加する際、特に、その交流成分を大きくすると、交流成分の振幅により感光体の表面が傷等のダメージを被り感光体ドラム１５Ｙ，１５Ｍ，１５Ｃ，１５Ｋの磨耗が促進されて、その寿命が短くなってしまう。
【０１０３】
一方、バイアス中の交流成分を小さくすると、スポット的に帯電不良が発生して、白点状の画像欠陥が生じてしまう。
【０１０４】
ここで、感光体ドラム１５の表面電位は、直流バイアス（直流電圧／電流）により決定され、具体的には、交流バイアス（交流電圧／電流）がパッシェンの法則により導かれる放電開始電圧の約１５倍の振幅となるまでは、感光体ドラム１５の表面電位は、交流バイアスの増加に伴って増大し、略２倍の振幅を超えると印加した直流バイアスと略同等な電位（一定電位）に収束する。そして、過大な交流バイアスの印加による感光体の磨耗を防止し、過小な交流バイアスの印加による画像欠陥の発生を防止するための適正な交流バイアス値は、感光体ドラム１５の表面電位が、直流バイアスと略同等に収束する際の交流バイアス電圧／電流値（以下、飽和電流値とも称する）に、所定の補正値を乗じた値である。
【０１０５】
本実施の形態においては、感光体ドラム１５は表面保護層を有する方がなお好適である。
【０１０６】
表面保護層は、架橋構造を有するフェノール系樹脂でできたもので、表面保護層の厚さが７．３μｍ、電荷輸送層の厚さが１７μｍのものである。感光体帯電電位ＶＨ＝７００Ｖ、ＶＬ＝３００Ｖ、交流バイアス周波数は１３６５Ｈｚとした。また直流バイアスとしては、−７００Ｖの低電圧とし、交流バイアスが所定以上のときは、感光体表面電位として−７００Ｖを得ることができた。２２℃／５５％の環境下で、直流電流値（感光体帯電電位）が飽和する交流電流値に対して、１９％の比率を乗じた交流電流値に設定した。
【０１０７】
ここで、図３は、本実施の形態に係るタンデム型のデジタルカラー複写機の要部の概要を示している。
【０１０８】
図３において、制御部５００は、例えばマイクロコンピュータ等によって構成され、イエロー（Ｙ）、マゼンタ（Ｍ）、シアン（Ｃ）、黒（Ｋ）の各色の帯電器５０３Ｙ，５０３Ｍ，５０３Ｃ，５０３Ｋに対応するＡＣ電源６１，５０１，５０２，６２を制御して、交流値に乗じる比率（補正値）を適宜制御している。
【０１０９】
なお、帯電器５０３Ｙ，５０３Ｍ，５０３Ｃ，５０３Ｋは、本実施の形態において
帯電ロール１６に相当する。
【０１１０】
また、図５は、感光体帯電電位（Ｖ）と交流電流値（ｍＡ）の関係において、帯電電位が飽和するポイントを示している。
【０１１１】
図５において範囲Ａは、画像劣化の影響が出難い適正な交流電流値の範囲を例示している。
【０１１２】
なお、ここにいう適正な交流電流値は、飽和電流値×所定の比率（補正値）で得ることができる。
【０１１３】
また、図６に示す表は交流値に掛け比率とかぶり、白点、黒点との関係を示している。
【０１１４】
ここにいう「かぶり」とは、現像装置からの背景部へのトナー付着量である。この表に示すように、補正値１９％の場合は各色において画像欠陥の発生を防止するのに適度な値であることが分かる。
【０１１５】
上記の条件の他に、感光体プロセススピード１６５ｍｍ／Ｓｅｃ、画像エリアカバレッジ５％、ランレングス５枚の条件下で、感光体ドラムの磨耗量を計測する為に３万枚（３０ｋｐｖ）の通紙試験を行った。
【０１１６】
エンジンごとの感光体磨耗レート（量）のばらつきをおさえ、サービスコストを低減する為の比率としては、最大値と最小値の比率が１．２以下になることが理想である。
【０１１７】
通紙試験終了後の感光体磨耗量を各ドラムで計測したところ、Ｙ＝６．０、Ｍ＝４．２、Ｃ＝４．１、Ｋ＝３．９ｎｍ／ｋｃｙｃｌｅとなり、感光体ドラム１５Ｙの磨耗レートが一番大きく、最大値と最小値の磨耗量の比率が１．５４であり、磨耗ライフのばらつきが大きい結果となった。また、この時のトナー回収量を計測したところＹ＝０．５８、Ｍ＝１．０、Ｃ＝１．０５、Ｋ＝１．１ｇ／１ｋｐｖとなり、Ｙが一番少ない結果となった。すなわち、ブレードニップ上にいくトナー量が上流エンジン（転写順位が早い側）が最も少なく、計測したところ下流エンジン（転写順位が遅い側）に比べ摩擦係数が高いことが分かった。
【０１１８】
次に、Ｙ位置のみ他の感光体よりも補正値を３％下げ、１６％で同様の通紙試験を行った。この補正値を低減することにより、感光体上にトナーかぶりが発生し、クリーニングブレードニップ上にいくトナーを増やすことができる。またこの１６％は図６の表に示すように、画像欠陥に対して適切な補正値である。
【０１１９】
試験の結果、磨耗レートはＹ＝４．６５、Ｍ＝４．２、Ｃ＝４．１、Ｋ＝３．９ｎｍ／ｋｃｙｃｌｅとなり、最上流（転写順位が最も早い）のＹと磨耗レートの最も少ないＫの磨耗レートの比率が、１．２となり、理想の１．２以下になることが分かった（図７のグラフ参照）。
【０１２０】
また、この時のトナー回収量を計測したところ、Ｙ＝０．８５、Ｍ＝１．０５、Ｃ＝１．１、Ｋ＝１．１５ｇ／ｋｐｖとなり、イエローのトナー回収量と他のエンジンとの差が低減していることがわかった。
【０１２１】
さらに、Ｙ位置のみ他の感光体よりも補正値を６％下げ、１３％で同様の通紙試験を行った。この補正値を低減することにより、感光体上にトナーかぶりが発生し、ブレードニップ上にいくトナーを増やすことができる。またこの１６％は図７の表に示すように、イエローの画像欠陥に対して適切な補正値である。
【０１２２】
その結果磨耗レートはＹ＝４．３、Ｍ＝４．２、Ｃ＝４．１、Ｋ＝３．９ｎｍ／ｋｃｙｃｌｅとなり最上流（転写順位が最も早い）のＹと磨耗レートの最も少ないＫの磨耗レートの差の比率が、１．１０となりさらに比率を改善できた。
【０１２３】
また、この時のトナー回収量を計測したところ、Ｙ＝１．００、Ｍ＝１．０５、Ｃ＝１．１、Ｋ＝１．１５ｇ／ｋｐｖとなり、イエローのトナー回収量と他のエンジンとの差が低減していることがわかった。以上の試験から、各エンジンのトナー回収量を同様にすることで、エンジン位置による感光体磨耗差を改善できた。
【０１２４】
さらに、Ｙ位置のみ他の感光体よりも補正値を８％下げ、１１％で同様の通紙試験を行ったが、試験途中で画質劣化が激しくなり、使用不可能であるということが分かった。
【０１２５】
すなわち、補正値としては３〜６％下げることが好ましいことが分かった。
【０１２６】
従来においては、画質欠陥が増加することを懸念して補正値を下げることを行わなかったが、図６の表に示すように本実施の形態では補正値を低減しても色の淡いイエローであるため、「かぶり」が画像に出難く、画質欠陥もなく良好な画質状態を保つことが確認された。
【０１２７】
さらに、補正値を下げることで交流成分を低減することができるので感光体のダメージを低減することが可能である。
【０１２８】
また、通紙テストをしたところ、２００ｋｐｖを超えても画質欠陥が見られず、結果磨耗レートはＹ＝４．４、Ｍ＝４．２、Ｃ＝４．１、Ｋ＝３．９ｎｍ／ｋｃｙｃｌｅとなり、エンジンの位置によるばらつきもなく感光体の寿命を飛躍的に向上させることが出来た。
【０１２９】
また、上記のように最上流（転写順位が最も早い側）のエンジンにトナーバンドを入れることでＹのブレードニップ上のトナー量を増やしても同様の効果が得られる。
【０１３０】
量としては、下流（転写順位が遅い側）のエンジンとブレードニップ上にいくトナー量と同等にするのが好ましく、０．３〜０．６ｇ／１ｋｐｖ程度であることが好ましい。動作タイミングとしては、感光体ドラム１５上にプロセスコントロール用の濃度制御を行うためのパッチを形成するが、当該濃度用のパッチに続いて、感光体ドラム１５Ｙの全幅に渡って、幅１０ｍｍのトナーバンドを形成し、５０ｐｖごとに０．０１５ｇ〜０．０３ｇの量を入れるのが好ましい。また上記トナーバンドは、制御回路の制御の下、通常の画像を形成する画像形成手段によって形成されが、当該トナーバンドの濃度は３０％〜７０％である。
【０１３１】
以上述べたように本実施の形態に係るタンデム型のデジタルカラー複写機Ｍ１によれば、装置の大型化やコストアップを招くことなく、装置の大型化やコストアップを招くことなく像保持体（感光体ドラム１５）の磨耗差を低減して寿命を向上させることができる。
【０１３２】
なお、同等の構成を備えるタンデム型のデジタルカラープリンタ等においても同様の効果を得ることができる。
【０１３３】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【０１３４】
また、プログラムを用いる場合には、ネットワークを介して提供し、或いはＣＤ−ＲＯＭ等の記録媒体に格納して提供することが可能である。
【産業上の利用可能性】
【０１３５】
本発明による画像形成装置は、レーザプリンタ、フルカラープリンタ、複写機、ファクシミリ装置等に適用することができる。
【図面の簡単な説明】
【０１３６】
【図１】本発明の実施の形態に係るタンデム型のデジタルカラー複写機の概略構成を示す側面図である。
【図２】実施の形態に係るタンデム型のデジタルカラー複写機の一部の画像形成ユニットを示す側面図である。
【図３】本実施の形態に係るタンデム型のデジタルカラー複写機の機能構成を示すブロック図である。
【図４】本実施の形態に係るタンデム型のデジタルカラー複写機の電源部を示す回路図である。
【図５】帯電電位の飽和状態を示すグラフである。
【図６】トナー色と補正値の関係を示す表である。
【図７】感光体ドラムの摩耗レートとトナー回収量の関係を示すグラフである。
【図８】従来の画像処理装置の構成を示す側面図である。
【符号の説明】
【０１３７】
Ｍ１  タンデム型のデジタルカラー複写機（画像形成装置）
１  本体
１３Ｙ〜１３Ｋ  画像形成ユニット
１４  画像露光装置
１５（１５Ｙ，１５Ｍ，１５Ｃ，１５Ｋ）  感光体ドラム（像保持体）
１６  帯電ロール（帯電器５０３Ｙ，５０３Ｍ，５０３Ｃ，５０３Ｋ：潜像形成手段）
１６Ａ  シャフト
１６Ｂ  帯電層
１７（１７Ｙ，１７Ｍ，１７Ｃ，１７Ｋ）  現像器（現像手段）
１７ａ  現像ロール
１８  クリーニング装置（クリーニング手段）
２０フレーム
２５  中間転写ベルト
２６  一次転写ロール
４２  クリーニングブレード
５０  クリーニングロール
５０Ａ  シャフト
６１，６２  高圧ユニット（ＡＣ電源）
３０１  画像書込手段
３０２  二次転写手段
Ｃ１〜Ｃ４  コンデンサ
５００  制御部（かぶり量制御手段）
【図１】
2008310144.tif 000003
【図２】
2008310144.tif 000004
【図３】
2008310144.tif 000005
【図４】
2008310144.tif 000006
【図５】
2008310144.tif 000007
【図６】
2008310144.tif 000008
【図７】
2008310144.tif 000009
【図８】
2008310144.tif 000010